(57)【要約】【課題】現像剤補給容器を装着して画像形成を行うに際し、無用な負荷をかけることがない現像剤補給容器を提供する。【解決手段】現像剤受入れ装置に着脱可能に設けられ少なくともセット方向への回動を伴うセット動作により現像剤受入れ装置にセットされる現像剤補給容器において、現像剤補給容器の外部へ現像剤を排出させる回転可能な排出部材と、現像剤受入れ装置の駆動ギア部材12から排出部材へ駆動力を伝達するギア５，６と、駆動ギア部材12から受けた駆動力により現像剤補給容器をセット方向へ回動させるための負荷をギア５に付与する負荷付与手段とを有し、ギア５は現像剤補給容器に対する相対回転に伴い負荷付与手段による負荷を解除する解除位置と非解除位置とに移動可能な解除突起５ａと、現像剤補給容器の装着動作に伴い解除位置にある解除突起５ａを非解除位置へ移動させる係合部５ｄとを有する。【選択図】図７ａ
2007316113.tif 000002
【特許請求の範囲】
【請求項１】
現像剤受入れ装置に着脱可能に設けられ少なくともセット方向への回動を伴うセット動作により現像剤受入れ装置にセットされる現像剤補給容器において、
前記現像剤補給容器内の現像剤を外部へ排出する回転可能な排出部材と、
前記現像剤受入れ装置の駆動部材から前記排出部材へ駆動力を伝達する駆動伝達手段と、
前記駆動部材から受けた駆動力により前記現像剤補給容器をセット方向へ回動させるための負荷を前記駆動伝達手段に付与する負荷付与手段と、
を有し、
前記駆動伝達手段は、前記現像剤補給容器に対する相対回転に伴い前記負荷付与手段による負荷を解除する解除位置と非解除位置とに移動可能な解除部と、前記現像剤補給容器の装着動作に伴い前記解除位置にある前記解除部を前記非解除位置へ移動させる移動部と、
を有することを特徴とする現像剤補給容器。
【請求項２】
前記移動部は前記現像剤補給容器の取り出し動作に伴い前記解除位置にある前記解除部を前記非解除位置へ移動させることを特徴とする請求項１の現像剤補給容器。
【請求項３】
前記移動部は前記現像剤補給容器の装着動作並びに取り出し動作に伴い前記現像剤受入れ装置のガイド部材と当接することにより前記解除位置にある前記解除部を前記非解除位置へ移動させることを特徴とする請求項２の現像剤補給容器。
【請求項４】
前記駆動伝達手段は、前記解除部並びに前記移動部が立設され前記排出部材と同軸的に回転可能な第１の駆動伝達部材と、前記駆動部材と係合可能に設けられ前記現像剤補給容器の回動中心と異なる位置を中心に回転可能な第２の駆動伝達部材と、を有することを特徴とする請求項１乃至請求項３のいずれか１項に記載の現像剤補給容器。
【請求項５】
前記駆動伝達手段は、回転中心に前記現像剤受入れ装置に設けられた被係合部と回転自在に係合する係合部を有することを特徴とする請求項１乃至請求項４のいずれか１項に記載の現像剤補給容器。
【発明の詳細な説明】
【技術分野】
【０００１】
本発明は、現像剤受入れ装置に着脱可能に設けられ少なくともセット方向への回動を伴うセット動作により現像剤受入れ装置にセットされる現像剤補給容器に関する。
【背景技術】
【０００２】
従来より、電子写真方式の複写機やプリンタ等の画像形成装置では微粉末の現像剤（トナー）が画像形成に使用されている。このような画像形成装置では、現像剤の消費に伴い、画像形成装置に交換自在にセットされた現像剤補給容器から現像剤の補給が行われている。
【０００３】
なお、現像剤は極めて微細な粉末であるため、現像剤補給作業時に取り扱い方によっては現像剤が飛散する可能性がある。このため、現像剤補給容器を画像形成装置内部に据え置いて、小さな開口部から少量ずつ現像剤を排出する方式が提案、実用されている。
【０００４】
こうした従来の現像剤補給容器において、現像剤を撹拌搬送する排出部材を内装した円筒状の容器を用いた例が数多く提案されている。
【０００５】
このような現像剤補給容器には、内装された排出部材を駆動するためのカップリング部材が設けられている。この現像剤補給容器のカップリング部材は画像形成装置側のカップリング部材と係合することによって駆動力を受ける構成とされている。
【０００６】
上記現像剤補給容器を画像形成装置に挿入装着後、ユーザが現像剤補給容器を所定角度回動させることで、現像剤補給容器の動作（現像剤補給）が可能な状態となる。即ち、現像剤補給容器の回動により、現像剤補給容器の外周面に設けられた開口と画像形成装置側の開口が連通し現像剤の補給が可能な状態となる。
【０００７】
一方、上記現像剤補給容器の回動セット動作を自動で行うために、画像形成装置側からの駆動力により現像剤補給容器を回動させるようにしたものが提案されている。これは現像剤補給容器を画像形成装置に挿入して前述のカップリング部材が係合した状態でモータを駆動し、容器側開口と装置側開口が一致するまで現像剤補給容器を回転させて自動的にセットするものである（特許文献１）。
【０００８】
【特許文献１】特開昭５３−４６０４０号
【発明の開示】
【発明が解決しようとする課題】
【０００９】
しかしながら、従来の現像剤補給容器を自動的に回動セットする構成にあっては、カップリングを介して現像剤補給容器を回転させる負荷が排出部材を回転させるときもかかったままであり、画像形成に際して重い負荷がかかっていた。
【００１０】
本発明は上記点に鑑みてなされたものであり、その目的は、現像剤補給容器を装着して画像形成を行うに際し、無用な負荷をかけることがない現像剤補給容器を提供するものである。
【００１１】
更に、本発明の他の目的は、現像剤補給容器を現像剤受入れ装置から途中で取り出して再度セットするような場合にも、確実にセットでき現像剤の補給を行うことができる現像剤補給容器を提供することである。
【課題を解決するための手段】
【００１２】
上記課題を解決するための本発明における代表的な手段は、現像剤受入れ装置に着脱可能に設けられ少なくともセット方向への回動を伴うセット動作により現像剤受入れ装置にセットされる現像剤補給容器において、前記現像剤補給容器内の現像剤を外部へ排出する回転可能な排出部材と、前記現像剤受入れ装置の駆動部材から前記排出部材へ駆動力を伝達する駆動伝達手段と、前記駆動部材から受けた駆動力により前記現像剤補給容器をセット方向へ回動させるための負荷を前記駆動伝達手段に付与する負荷付与手段と、を有し、前記駆動伝達手段は、前記現像剤補給容器に対する相対回転に伴い前記負荷付与手段による負荷を解除する解除位置と非解除位置とに移動可能な解除部と、前記現像剤補給容器の装着動作に伴い前記解除位置にある前記解除部を前記非解除位置へ移動させる移動部と、を有することを特徴とする。
【発明の効果】
【００１３】
本発明によれば、現像剤受入れ装置の駆動部材からの駆動力により現像剤補給容器をセット方向に回動させることができ、画像形成に際しては解除部によって負荷付与手段による負荷を解除することで現像剤補給容器を回転させる負荷を小さくすることができる。
【００１４】
また、装着時に解除部が解除位置にある場合でも移動部によって解除部が非解除位置へ移動するために、現像剤補給容器を現像剤受入れ装置から途中で取り出して再度セットするような場合にも、確実にセットでき現像剤の補給を行うことができる。
【発明を実施するための最良の形態】
【００１５】
〔第１実施形態〕
次に本発明の一実施形態について、図面を参照して具体的に説明する。まず、現像剤受入れ装置を有する画像形成装置について説明し、次に現像剤補給容器について説明する。
【００１６】
（画像形成装置）
現像剤補給容器が取り外し自在に装着される現像剤受入れ装置が搭載された画像形成装置の一例として、電子写真方式を採用した複写機の構成について図１を用いて説明する。
【００１７】
同図において、100は電子写真複写機本体（以下「装置本体100」という）である。また、101は原稿であり、原稿台ガラス102の上に置かれる。そして、画像情報に応じた光像が光学部103の複数のミラーＭとレンズＬｎにより、像担持体としての電子写真感光体104（以下、「感光体ドラム」という）上に結像させることにより静電潜像を形成する。この静電潜像は現像装置201により現像剤を用いて可視化される。
【００１８】
本実施形態では、現像剤としてトナーを使用している。従って、後述する現像剤補給容器には補給用のトナーが収容されている。なお、トナー及びキャリアを含む現像剤を使用する画像形成装置の場合、現像剤補給容器にトナーと共にキャリアを収容させ、これらを補給する構成としても構わない。
【００１９】
105〜108は記録媒体（以下、「シート」という）Ｓを収容するカセットである。これらカセット105〜108に積載されたシートＳのうち、複写機の液晶操作部から操作者（ユーザ）が入力した情報もしくは原稿101のシートサイズを基にから最適なカセットが選択される。ここで、記録媒体としては、シートに限定されずに、例えばＯＨＰシート等適宜使用、選択できる。
【００２０】
そして、給送分離装置105Ａ〜108Ａにより搬送された１枚のシートＳを、搬送部109を経由してレジストローラ110まで搬送し、感光体ドラム104の回転と、光学部103のスキャンのタイミングを同期させて搬送する。
【００２１】
111，112は転写放電器、分離放電器である。ここで、転写放電器111によって、感光体ドラム104上に形成された現像剤による像をシートＳに転写する。そして、分離放電器112によって、現像剤像の転写されたシートＳを感光体ドラム104から分離する。
【００２２】
この後、搬送部113により搬送されたシートＳは、定着部114において熱と圧によりシート上の現像剤像を定着させた後、片面コピーの場合には、排出反転部115を通過し、排出ローラ116により排出トレイ117へ排出される。また、多重コピーの場合には、排出反転部115のフラッパ118の制御により、再給送搬送部119，120を経由してレジストローラ110まで搬送された後、片面コピーの場合と同様の経路をたどって排出トレイ117へ排出される。
【００２３】
また、両面コピーの場合には、シートＳは排出反転部115を通り、一度排出ローラ116により一部が装置外へ排出される。そして、この後、シートＳの終端がフラッパ118を通過し、排出ローラ116にまだ挟持されているタイミングでフラッパ118を制御すると共に排出ローラ116を逆回転させることにより、再度装置内へ搬送される。さらにこの後、再給送搬送部119，120を経由してレジストローラ110まで搬送された後、片面コピーの場合と同様の経路をたどって排出トレイ117へ排出される。
【００２４】
上記構成の装置本体100において、感光体ドラム104の周りには現像手段としての現像装置201、クリーニング手段としてのクリーナ部202、帯電手段としての一次帯電器203等の画像形成プロセス機器が設置されている。なお、クリーナ部202は、感光体ドラム104に残留している現像剤を除去するためのものである。また、一次帯電器203は、感光体ドラム104上に所望の静電像を形成するため感光ドラム表面を一様に帯電するためのものである。
【００２５】
（現像装置）
次に現像装置について説明する。現像装置201は原稿101の情報を光学部103により感光体ドラム104に形成された静電潜像に現像剤を付着させることにより現像するものである。そして、この現像装置201へ現像剤を補給するための現像剤補給容器１が装置本体100に操作者によって着脱可能に設けられている。
【００２６】
また、現像装置201は、現像剤補給容器１を取り外し可能に装着する現像剤受入れ装置10と現像器201ａとを有しており、更に現像器201ａは、現像ローラ201ｂと、送り部材201ｃを有している。現像剤補給容器１から補給された現像剤は、送り部材201ｃにより現像ローラ201ｂに送られて、この現像ローラ201ｂにより感光体ドラム104に供給される。なお、現像ローラ201ｂには、図２に示すように、ローラ上の現像剤コート量を規制する現像ブレード201ｄ、現像器201ａとの間の現像剤の漏れを防止するために現像ローラに接触配置された漏れ防止シート201ｅが設けられている。
【００２７】
また、図３に示すように、複写機の外装カバーの一部である現像剤補給容器の交換用カバー15が設けてある。操作者が現像剤補給容器１を装置本体100に装脱着を行う際は、前記交換用カバー15を開けて、現像剤補給容器１を矢印Ａ方向に挿入して装着し、もしくはＡ方向と逆方向に引き抜いて脱着する。
【００２８】
（現像剤受入れ装置）
現像剤受入れ装置10には、図４ａ、図４ｂに示すように、現像剤補給容器１を取り外し可能に装着する収納部10ａと、現像剤補給容器１から排出された現像剤を受入れる現像剤受入れ口10ｂが設けられている。現像剤受入れ口10ｂから補給された現像剤は上述した現像器に供給され画像形成に使用される。
【００２９】
また、図５ａ、図５ｂに示すように、現像剤補給容器１の挿入装着奥側に対応する位置に、現像器ホルダ13を設けてある。そして、この現像器ホルダ13には現像剤補給容器１と係合する係合部13ａと支持部13ｂが設けてある。
【００３０】
更に、現像剤補給容器１及び収納部10ａの周面形状に沿った略半円筒面の形状を有する現像器シャッタ11が設けられている。この現像器シャッタ11は、収納部10ａの下縁に設けられたガイド部10ｃと係合して、現像剤受入れ口10ｂを開閉可能に円周方向に沿ってスライド移動することが可能である。
【００３１】
そして、ガイド部10ｃは、現像器シャッタ11の移動により開封される現像剤受入れ口10ｂの両縁部に形成されている。
【００３２】
現像器シャッタ11は、現像剤補給容器１を収納部10ａに装着していない時は、一端を現像剤受入れ装置10に設けたストッパ10ｄに当接させて現像剤受入れ口10ｂを密閉した位置にあり、現像器から収納部10ａ側へ現像剤が逆流しないようにしている。
【００３３】
更に、現像器シャッタ11の開封時には、現像剤受入れ口10ｂの下端と現像器シャッタ11の上端を精度良く合致させて現像剤受入れ口10ｂが完全に開口する必要がある。そこで、現像器シャッタ11の開封移動の終了位置を規制するためのストッパ10ｅ（図16ｂ参照）が設けてある。
【００３４】
このストッパ10ｅは現像剤排出口１ｂが現像剤受入れ口10ｂと対向した位置にて容器本体の回動を停止させる停止部としても機能する。つまり、後述する開封突起によって現像器シャッタ11と係合関係にある現像剤補給容器の回動が、現像器シャッタ11の開封移動がストッパ10ｅによって停止するのに伴い停止することになる。
【００３５】
また、収納部10ａの長手方向の一端には、画像形成装置本体100に設けられた駆動モータからの回転駆動力を伝達する駆動部材としての駆動ギア部材12が設けられている。この駆動ギア部材12は、後述するように、現像器シャッタ11を開封させるための現像剤補給容器１の回動方向とは同方向の回転力を第２のギア６（図６参照）に付与することで排出部材４を駆動する構成とされている。
【００３６】
また、駆動ギア部材12は、現像器の送り部材201ｃ、現像ローラ201ｂ、更には感光体ドラム104を回転駆動するための駆動ギア列とつながっている。本実施形態で用いた駆動ギア部材12はモジュール１、歯数17のものである。
【００３７】
（現像剤補給容器）
現像剤補給容器１は、図６ａに示すように、現像剤を収容する収容部としての略円筒形状の容器本体１ａの外周面に、容器本体１ａの長手方向に延びたスリット状の現像剤排出口１ｂが設けられている。
【００３８】
この容器本体１ａは、使用前の物流時に収容した現像剤を保護すること、また、現像剤の漏れが無いように、ある程度剛性を有することが望まれており、本実施形態では、材質にポリスチレンを用いて、射出成型にて成型してある。なお、使用する樹脂材はこのような例だけに限らずＡＢＳなど他の材質のものを使用することが可能である。
【００３９】
また、容器本体１ａの端面には、ユーザが現像剤補給容器１の着脱操作時に掴む把手部材としてのハンドル２が設けられている。なお、このハンドル２は、容器本体１ａと同様に、ある程度剛性を有することが望まれており、容器本体１ａと同じ材質、成型方法を用いることにより形成されている。
【００４０】
なお、容器本体１ａとハンドル２との固定については、機械的な嵌合、ねじ止め、接着、溶着による固定等、着脱操作時に外れない程度に十分な強度を確保できれば良く、本実施形態では、機械的な嵌合により固定化を行っている。
【００４１】
図６ｂに示すように、容器本体１ａの第１のギア５が設けられた側とは反対側（長手方向に）の一端面には現像剤充填口１ｃが設けられており、現像剤充填後、不図示の封止部材等により封止される。
【００４２】
また、現像剤排出口１ｂは、後述するように、現像剤受入れ装置に装着された現像剤補給容器が所定角度回動した動作位置（現像剤の補給が可能となる現像剤補給容器のセット動作が完了した位置）にあるとき、略側方を向いている。なお、現像剤補給容器は、現像剤排出口１ｂが略鉛直上方を向いた状態で現像剤受入れ装置へ装着する構成とされている。
【００４３】
（容器シャッタ）
現像剤排出口１ｂは、図６ａに示すように、現像剤補給容器１の外周面にほぼ沿った曲率を有する形状の容器シャッタ３により閉じられている。この容器シャッタ３は容器の長手方向両端側に設けられたガイド部１ｄと係合している。このガイド部１ｄは容器シャッタ３の開閉のためのスライド移動をガイドするともに容器シャッタ３が容器から外れてしまうのを防止している。
【００４４】
なお、容器からの現像剤漏れを防止するために、容器シャッタ３の現像剤排出口１ｂと対向する面にシール部材（不図示）を設けるのが好ましい。あるいは逆に、容器本体１ａの現像剤排出口１ｂの周囲にシール部材を設けても構わない。もちろん、容器シャッタ３と容器本体１ａの双方にシール部材を設けても構わない。本実施形態では、容器本体１ａにのみシール部材を設けている。
【００４５】
なお、本実施形態のように容器シャッタ３を設けずに、樹脂製のシールフィルムを現像剤排出口の周りの容器本体部分に熱溶着などの方法で取り付けることで現像剤排出口を密封し、このシールフィルムを引き剥がして開封する構成としても構わない。
【００４６】
ただし、この構成の場合、現像剤が空になった容器を交換する際に、容器の内部に僅かながら残留した現像剤が現像剤排出口１ｂから飛散してしまう可能性がある。そのため、本実施形態のように容器シャッタ３を設け現像剤排出口１ｂを再封できるように構成するのが望ましい。
【００４７】
もちろん、容器の現像剤排出口の形状や容器内の現像剤充填量により、現像剤補給前の物流時等で現像剤の漏れが生じる可能性がある場合には、前述したシールフィルムと容器シャッタの双方を設け、より強固なシール性能を確保することもできる。
【００４８】
（排出部材）
容器本体１ａの内部には、回転することで容器内の現像剤を撹拌しながら、現像剤排出口１ｂに向けて下方から上方に現像剤を搬送して現像剤排出口１ｂから容器外部へ現像剤を排出させる回転可能な排出部材４が装填されている。図６ｂに示すように、排出部材４は、主に撹拌軸４ａと撹拌翼４ｂで構成されている。
【００４９】
撹拌軸４ａの長手方向一端は容器本体１ａに回転自在に設けられ且つ回転軸方向への移動が実質的に不可となるように設けられている。一方、撹拌軸４ａの長手方向他端は第１のギア５と同軸的に回転可能となるように連結されている。具体的には、容器本体内部において第１のギア５の軸部と撹拌軸４ａの他端とを係止することで両者の連結が為されている。また、第１のギア５の軸部の周りから容器の外へ現像剤が漏れ出してしまうのを防止するため、この軸部の周りにシール部材が設けられている。
【００５０】
なお、第１のギア５と撹拌軸４ａは、上述のように互いに直結させる構成ではなく、両者をある部材を介して間接的に駆動連結関係にすることも可能である。
【００５１】
撹拌軸４ａは、容器内部の現像剤が万が一固まってしまっている場合にも、これを解して現像装置側へと撹拌搬送することが可能なだけの剛性を有していることが好ましい。そして、撹拌軸４ａは容器本体１ａとの摺動抵抗を可能な限り小さくするのが好ましい。このような観点から、本実施形態では、撹拌軸４ａの材質としてはポリスチレンを用いている。もちろん、このような材質だけに限らずポリアセタールなどの他の材質を用いても構わない。
【００５２】
撹拌翼４ｂは、撹拌軸４ａに固定されており、撹拌軸４ａの回転に伴い、容器内の現像剤を撹拌しつつ現像剤排出口１ｂに向けて搬送するためのものである。また、撹拌翼４ｂは、容器に残ってしまう現像剤の量を少なくする為、容器の内面と適度に摺動する程度の張り出し長さを有している。
【００５３】
また、図６ｂに示すように、撹拌翼４ｂの先端縁が略Ｌ字状に傾斜するように（図６ｂのア部）設けられており、このア部の回転遅れを利用して、現像剤を現像剤排出口１ｂに向けて容器の長手方向へ搬送する機能も併せ持っている。本実施形態では、撹拌翼はポリエステルシートにより形成されている。もちろん、このような材質だけに限らず可撓性樹脂シートであれば他の材質を用いても構わない。
【００５４】
以上説明した排出部材４の構成としては、現像剤補給容器の外へ現像剤を排出するため自らが回転することにより現像剤を搬送する機能を果たすことができるのであれば、上述した例に限らず、種々の構成を採用することが可能である。例えば、上述した撹拌翼の材料や形状などを変更したり、または、異なる搬送機構を採用しても構わない。また、本実施形態では別部品である第１のギア５と排出部材４を係止させることにより一体化させているが、第１のギア５と排出部材４の軸部を樹脂にて一体成型することにより一体化させても構わない。
【００５５】
（現像器シャッタの開閉機構）
次に現像器シャッタ11を開閉させるための機構について説明する。
【００５６】
図６ｃに示すように、容器本体１ａの周面上には現像器シャッタを開閉するための連動部としての開封突起１ｅ及び封止突起１ｆが設けられている。
【００５７】
開封突起１ｅは、現像剤補給容器１の装着後のセット操作（現像剤補給容器を動作位置（補給位置）に向けて所定角度回動させる操作）時に、現像器シャッタ11（図５参照）を押し下げて現像剤受入れ口10ｂ（図５参照）を開封するためのものである。
【００５８】
封止突起１ｆは、現像剤補給容器１の取り出し操作（現像剤補給容器を動作位置（補給位置）から着脱を許容する位置に向けて所定角度逆方向に回動させる操作）時に、現像器シャッタ11を押し上げて現像剤受入れ口10ｂを密閉するためのものである。
【００５９】
このように現像器シャッタの開閉移動を現像剤補給容器の回動操作時と連動させるため、開封突起１ｅと封止突起１ｆは次のような位置となるように容器に設置されている。
【００６０】
つまり、現像剤補給容器１を現像剤受入れ装置10（図５参照）に装着した際に、開封突起１ｅは現像器シャッタ11の開封時の回転方向に対して上流側に、封止突起１ｆは下流側に位置している。
【００６１】
なお、本実施形態では、現像器シャッタ11を開封突起１ｅと封止突起１ｆを用いて開閉させる構成を採用しているが、例えば、図７ａ、図７ｂに示すような構成としても構わない。
【００６２】
具体的には、容器本体１ａの周面（開封突起１ｅが設けられていた位置と同等の箇所）に現像器シャッタ11と係合解除自在に係合するフック部（連動部）としてのスナップフィット爪部１ｋを設ける、といった構成である。
【００６３】
詳細には、このスナップフィット爪部１ｋは現像器シャッタ11の係合部（凹部）に上方から入り込むことにより係合が行われる。そしてスナップフィット爪部１ｋは、連結した現像器シャッタ11を容器本体１ａの回動に伴い押し下げ、引き上げして開閉させる構成となっている。スナップフィット爪部１ｋと連結する現像器シャッタ11の連結部11ａは、スナップフィット爪部１ｋの形状に対応した形状とされ、両者の連結が適正に行われるように構成されている。
【００６４】
また、後述するように、現像器シャッタ11を容器本体１ａの回動に伴い引き上げて再封した後は、現像器シャッタ11はそれ以上の回動が阻止された状態にある。この状態で、現像剤補給容器１を着脱位置に向けてさらに回動させると、スナップフィット爪部１ｋは現像器シャッタ11との係合が解除され、現像剤補給容器１は現像器シャッタ11に対して相対回転し、現像剤排出口１ｂも再封される。このように、スナップフィット爪部１ｋは、現像器シャッタ11から離脱することができる程度に係止力が調整されている。
【００６５】
（駆動伝達手段）
次に、現像剤受入れ装置10から受けた回転駆動力を排出部材４へ伝達する駆動伝達手段の構成について説明する。
【００６６】
現像剤受入れ装置10には、現像剤補給容器１に回転力を与えるための駆動部材としての駆動ギア部材12が設けられている。
【００６７】
一方、現像剤補給容器１には、この駆動ギア部材12と駆動連結し、駆動ギア部材12から受けた回転駆動力を排出部材４へと伝達する駆動伝達手段が設けられている。
【００６８】
本実施形態では後述するように駆動伝達手段はギア列を有しており、それぞれのギアの回転軸は現像剤補給容器の端面に直接的に回転自在に支持されている。
【００６９】
本実施形態では現像剤補給容器１の装着後の使用位置（補給位置）へのセット時にハンドル２をもって現像剤補給容器１を所定角度回動させる前の時点では、駆動伝達手段と駆動ギア部材12とは駆動連結せずに周方向に互いに離れた位置（非係合状態）にある。その後、ハンドル２により現像剤補給容器１を回動させることで駆動伝達手段と駆動ギア部材12が対面し互いに駆動連結する構成となっている（係合状態）。
【００７０】
具体的には、排出部材４と連結した状態にある駆動力伝達手段としての第１のギア５（第１の駆動伝達部材）が、容器本体１ａの長手方向一端面に現像剤補給容器の回動中心（ほぼ回動中心）の周りを回転可能となるように軸支されている。この第１のギア５は排出部材４と同軸的に回転可能である。
【００７１】
第１のギア５の回転中心は、セット動作時に現像剤補給容器１を所定角度回動させる際の容器の回動中心とほぼ一致するように取り付けられている。
【００７２】
さらに、駆動伝達手段としての第２のギア６（第２の駆動伝達部材）が、現像剤補給容器の回動中心から偏心した位置の周りを回転可能となるように容器に軸支されている。この第２のギア６は、現像剤受入れ装置10の駆動ギア部材12と駆動連結可能に設けられ、駆動ギア部材12から回転駆動力を受ける構成とされている。さらに、第２のギア６には、第１のギア５へ回転駆動力を伝達するため、図６ｄに示すように段ギア構成とされており、第１のギア５と駆動連結する第３のギア６′が設けられている。
【００７３】
この第２のギア６は、容器本体１ａのセット動作時の回動方向とは逆方向への回転力を付与する駆動ギア部材12との噛合い駆動により、容器本体１ａのセット動作時の回動方向と同方向へ回動する構成とされている。
【００７４】
なお、容器本体１ａのセット動作時の回動方向は、前述したように、現像器シャッタ11の開封のための回動方向と同方向である。
【００７５】
このように、駆動ギア部材12から第２のギア６に回転駆動力が入力されると、第２のギア６と駆動連結関係にある第３のギア６′、第１のギア５が回転し、これに伴い、容器本体１ａ内部の排出部材４が回転する構成になっている。
【００７６】
第２のギア６は、前述したように、現像剤受入れ装置10に現像剤補給容器１を装着した時点では現像剤受入れ装置10の駆動ギア部材12から周方向に離れた位置にある。
【００７７】
その後、ユーザにより現像剤補給容器１の回動操作が行なわれると、第２のギア６は駆動ギア部材12と駆動連結した状態となる。この時点では、現像剤排出口１ｂが現像剤受入れ口10ｂと連通した状態とはなっていない（現像器シャッタ11は閉状態）。
【００７８】
その後、後述するように、現像剤受入れ装置10の駆動ギア部材12に駆動が入力される。
【００７９】
このように、第２のギア６の現像剤補給容器１（開封突起１ｅや現像剤排出口１ｂ）に対する周方向の配設位置を調整することによって、第２のギア６と駆動ギア部材12との駆動連結開始が上述の時期に行われるよう設定されている。このため、第２のギア６は第１のギア５と回転中心が異なるように配置されている。
【００８０】
本実施形態では、容器の形状が中空円筒状であるので、排出部材の回転中心と容器本体の回転中心は一致（ほぼ一致）しており、排出部材４に直結している第１のギア５の回転中心は容器本体１ａの回転中心と一致（ほぼ一致）している。これに対し第２のギア６は第１のギア５と回転中心が異なっており、現像剤補給容器１の回転に伴い、容器本体１ａの回転中心に対し公転することで、現像剤受入れ装置10の駆動ギア部材12と連結する構成になっている。よって、第２のギア６の回転中心は容器本体１ａの回転中心と異なっている。
【００８１】
なお、排出部材４の回転中心を容器本体１ａの回転中心と異ならせた構成であっても構わない。例えば、排出部材４の回転中心を容器の現像剤排出口寄り（径方向）に位置させても良い。この場合、第１のギア５を小径化し、そして排出部材の回転中心と対応して容器本体の回転中心と異なる位置にて第１のギアが軸支されるように構成するのが好ましい。この点以外の構成は上記の例と同様である。
【００８２】
さらに、排出部材４の回転中心を容器本体１ａの回転中心と異ならせた場合、第１のギア５を設けず、駆動伝達手段を第２のギア６のみにて構成し、これを排出部材４の回転中心と対応して容器本体１ａの回転中心から偏心した位置にて容器に軸支されるようにしても構わない。このとき、第２のギア６は排出部材４と同軸的に回転可能となるように連結されている。
【００８３】
また、このとき、排出部材の回転方向が上述した例とは逆方向になり、側方に位置した現像剤排出口に向けて上方から下方へ現像剤を搬送する構成となってしまう。この場合、排出部材の構成としては、自転することにより容器内の現像剤を上方へ持ち上げ、そして、持ち上げた現像剤を下方に位置する現像剤排出口１ｂに向けてガイドするような機能を有していることが望ましい。
【００８４】
第１のギア５及び第２のギア６は、現像剤受入れ装置10からの駆動を十分に伝達する機能を有していることが望ましく、本実施形態では材質にポリアセタールを用い、射出成型した歯車としている。
【００８５】
詳細には、第１のギア５はモジュール0.5、歯数60、φ30mmとされている。また、第２のギア６はモジュール１、歯数20、φ20mm、第３のギア６′はモジュール0.5、歯数20、φ10mmとされ、第２のギア、第３のギアの回転中心は第１のギアの回転中心から20mm径方向に偏芯した位置に設けられている。
【００８６】
なお、これらのギアのモジュール、歯数、直径φは駆動伝達性を考慮して設定すれば良く、上述したものだけには限られない。
【００８７】
例えば、図８に示すように、第１のギア５の直径をφ20mm、第２のギア６の直径をφ40mmとしてもよい。ただし、後述する現像剤補給容器１のセット動作が良好に行われるように、第２のギア６の容器本体１ａにおける周方向の取付け位置の調整が必要である。
【００８８】
図８に示す上記変形例の場合には、ギア比が変わったことにより、本実施形態の構成に比して現像剤補給容器１からの現像剤排出速度（排出部材４の回転速度）が上がってしまう（現像剤受入れ装置10の駆動ギア部材12の回転速度は同じ）。そして、現像剤を撹拌搬送するためのトルクが上昇する可能性があるため、容器内部の現像剤の種類(磁性、非磁性等の種類による比重差)、充填量、更には、駆動モータの出力等を考慮してギア比を設定するのが好ましい。
【００８９】
現像剤排出速度（排出部材の回転速度）を更に上げるためには、第１のギア５をより小径にし、第２のギアを大径にすれば良い。逆に、トルク重視の場合には、第１のギア５を大径に、第２のギアを小径にすれば良く、求められる仕様に合わせて適宜選択することができる。
【００９０】
なお、本実施形態では、図６に示したように、現像剤補給容器１をその長手方向から見たとき、第２のギア６が容器本体１ａの外周よりも突出した構成になっているが、容器本体１ａの外周から突出しないように第２のギア６を設置する構成であっても構わない。このの場合、現像剤補給容器１の包材への梱包性が良くなり、物流時などにおいて誤って落下させて破損してしまう等の事故の発生確率を低くすることができる。
【００９１】
（現像剤補給容器の組立て方法）
本実施形態の現像剤補給容器１の組立て方法は、まず、容器本体１ａ内に排出部材４を挿入する。そして、第１のギア５と容器シャッタ３を容器本体に組付けた後、一体化されている第２のギア６と第３のギア６′を組付ける。その後、充填口１ｃから現像剤を充填し、封止部材によって充填口を封止する。最後にハンドル２を組付ける。
【００９２】
このような、現像剤の充填と、第２のギア６、容器シャッタ３、ハンドル２の組立て順番は、組立てしやすいように適宜変更可能である。
【００９３】
なお、本実施形態では、容器本体１ａとして内寸法φ50mm×長さ320mmの中空円筒容器を用いることで容積を約600ccとしている。また、現像剤の充填量を300ｇとしている。
【００９４】
（負荷付与手段）
本実施形態の現像剤補給容器１は前記駆動ギア部材12からの駆動力により、セット方向へ回動される。そのために、本実施形態の現像剤補給容器１には駆動ギア部材12から受けた駆動力により現像剤補給容器１をセット方向へ回動させるための負荷を前記駆動伝達手段に付与する負荷付与手段が設けられている。その構成を図９乃至図11を用いて説明する。
【００９５】
本実施形態では、現像剤補給容器を動作位置に向けて自動的に回動させる機構として、排出部材４へ回転駆動力を伝達するための駆動伝達手段を利用したことにより構成の簡易化を図っている。
【００９６】
つまり、本実施形態では、駆動ギア部材12の駆動力を駆動伝達手段を利用したトルク発生機構により現像剤補給容器１を動作位置に向けて自動的に回動させるための引き込み力を発生させている。
【００９７】
具体的には、第１のギア５の容器本体に対する回転負荷（トルク）を大きくすることにより第２のギア６の容器本体１ａに対する回転負荷を大きくしている。
【００９８】
その結果、駆動ギア部材12と噛合った第２のギア６に駆動ギア部材12から駆動が入力されると、第２のギア６は容器本体１ａに対する相対回転が抑制（制限）されている状態にあるので、容器本体１に回動力が生じる。その結果、容器本体１ａが動作位置に向けて自動的に回動することになる。
【００９９】
つまり、現像剤補給容器１を自動的に回動させるとき、駆動伝達手段と現像剤補給容器間の相対回転が抑制（制限）されるようにトルク発生機構により、抑制力が作用した状態（抑制状態）となっている。言い換えると、駆動伝達手段の現像剤補給容器１に対する回動負荷が、現像剤補給容器を自動的に回動させるのに要する力よりも大きくされた状態となっている。
【０１００】
図９ａ、図９ｂに示すように、第１のギア５の円周面５ｃには負荷付与手段を構成するリング形状の固定部材９が嵌め込まれており、この固定部材９は第１のギア５の回転軸線を中心に第１のギア５に対して相対回転可能に構成されている。また、固定部材９の外周面上には、鋸歯状の引掛かり部９ａが全周にわたって設けてある。
【０１０１】
第１のギア５の軸部の円周面５ｃと固定部材９の内周面９ｂの間には、負荷付与手段を構成するリング部材14（所謂、Ｏリング）が圧縮した状態で設けられている。更に、リング部材14は第１のギア５の円周面５ｃに設けられた凹部５ｂに固定されているため、固定部材９を第１のギア５に対して相対回転させると、固定部材９の内周面９ｂと圧縮状態のリング部材14との摺動によりトルクが発生する仕組みになっている。
【０１０２】
なお、本実施形態では鋸歯状の引掛かり部９ａが全周に設けられているが、基本的には引掛かり部は１ヶ所でもよく、さらにその引掛かり部９ａは凸形状でも凹形状でもよい。
【０１０３】
また、リング部材14は弾性を有する材質であるゴム、フェルト、発泡体、ウレタンゴム、エラストマーなどを用いるのが好ましく、本実施形態ではシリコンゴムを使用している。また、リング部材14としては、円周部の一部が欠けたものなど、非リング状のものを採用しても構わない。
【０１０４】
本実施形態では、第１のギア５の円周面５ｃ上に凹部５ｂを設けて、そこにリング部材14を嵌め込んで固定させているが、固定方法はこれに限定されない。例えば、リング部材14を第１のギア５に固定させずに固定部材９に固定させて、第１のギア５の円周面５ｃとリング部材14を摺動させてトルクを発生させる構成であっても構わない。また、リング部材14と第１のギア５は一体成形（所謂、２色成型）により一体化しても構わない。
【０１０５】
図６ｃに示すように、容器本体１ａのギア設置側端面から突出した支柱１ｈに、固定部材９の回転を規制するための負荷付与手段を構成するロック部材７が変位可能に設けられている。また、ロック部材７は、図10に示すように、被解除部７ａ、ロック部７ｂから構成されている。なお、ロック部材７は後述するように容器本体１ａに対する第２のギア６の回転負荷を変更する（切替える）手段としても機能するものである。つまり、ロック部材７は、現像剤補給容器と駆動伝達手段間の相対回転を抑制する抑制力を変更するための手段としても機能する。
【０１０６】
次に、ロック部材７と固定部材９との関係を、図11ａ、図11ｂを用いて説明する。
【０１０７】
図11ａに示すように、ロック部７ｂが固定部材９の引掛かり部９ａに引っ掛かった状態では、固定部材９は容器本体１ａに対して回転が規制される。この状態で第１のギア５に第２のギア６を介して駆動ギア部材12から駆動が入力されると、リング部材14が固定部材９の内周面９ｂと第１のギア５の軸部との間で圧縮された状態にあるので、第１のギア５の回転負荷（トルク）が大きくなっている。
【０１０８】
このようにして負荷付与手段により、駆動ギア部材12から受けた駆動力により現像剤補給容器１をセット方向へ回動させるための負荷が前記駆動伝達手段に付与される。
【０１０９】
一方、図11ｂに示すように、ロック部７ｂが固定部材９の引掛かり部９ａに引っ掛かっていない状態では、固定部材９は容器本体１ａに対する相対回転が規制されていない。この状態で第１のギア５に第２のギア６を介して駆動ギア部材12から駆動が入力されると、固定部材９は第１のギア５と一体的に回転する。つまり、固定部材９、リング部材14による第１のギアの回転負荷（トルク）の増大分がキャンセルされ、第１のギアの回転負荷は十分に小さくなっている。
【０１１０】
なお、本実施形態では、第１のギアと固定部材９間でリング部材14を挟み込むことにより摺動抵抗を生じさせてトルクを発生させる構成としているが、他の方法によりトルクを発生させる構成であっても構わない。例えば、Ｓ磁極とＮ磁極の引き付け力（磁力）を利用する構成や、弾性バネのねじりによる内径・外径の寸法変化を利用する構成であっても構わない。
【０１１１】
（回動負荷切替手段）
次に、現像剤補給容器１に対する駆動伝達手段の回動負荷を切替える切替手段について説明する。
【０１１２】
切替手段はトルク発生機構による容器本体１ａに対する駆動伝達手段の相対回転が抑制された抑制状態と該抑制が解除された非抑制状態とを切り替えるものである。第１のギア５には解除部としての解除突起５ａ（図９参照）が突出して設けられている。この解除突起５ａは、動作位置（補給位置）に回動された現像剤補給容器１に対して第１のギア５が回転することにより、ロック部材７の被解除部７ａと突き当たる構成とされている。
【０１１３】
つまり、解除部である解除突起５ａは、現像剤補給容器１に対する相対回転に伴い前記負荷付与手段による負荷を解除する解除位置と非解除位置とに移動可能である。そして、この解除突起５ａは、第１のギア５の回転に伴い被解除部７ａを押し上げることにより、ロック部７ｂと固定部材９の引掛かり部９ａとの引っ掛かりが外れ、第１のギア５にトルクが付与された状態を直ちに解除する機能を有している。
【０１１４】
これにより、自動回転後の現像剤補給容器１に対する駆動伝達手段の相対回転が抑制（制限）された状態から解除（開放）される。言い換えると、駆動伝達手段の現像剤補給容器１に対する回動負荷が、十分に小さくされた状態となる（非抑制状態）。
【０１１５】
このように、本実施形態のトルク発生機構は、容器本体１ａに対する第１のギア５の回転を完全に阻止（ロック）させてはおらず、現像剤補給容器１が動作位置にて停止された状態において第１のギア５が容器本体１ａに対して相対回転できる程度に回動負荷（トルク）を与えている。
【０１１６】
なお、本実施形態では、トルク発生機構によるトルクをキャンセルするように解除しているが、解除後のトルクを現像剤補給容器の自動回転時のトルクに比して少なくとも小さくなるように変更すれば構わない。
【０１１７】
（回動負荷切替え再セット機構）
前述したように、本実施形態では現像剤補給容器１を動作位置に自動的に回動させるために、回動負荷をかけて発生する回転力を利用している。更に、現像剤補給容器１が動作位置にセットされた後、第１のギア５に設けた解除突起５ａによりロック部材７の被解除部７ａを押し上げることにより回動負荷を解除している。
【０１１８】
以上のような通常の一連の操作では、特に問題無く現像剤補給容器１の自動回動が達成できる機構になっている。しかし、ある条件下では達成できない場合がある。
【０１１９】
例えば、(1)一度セットした現像剤補給容器１を何らかの理由で脱着可能な位置まで回転させて現像剤受入れ装置10から取り出し再度セットを行う場合である。あるいは、(2)新しい現像剤補給容器１をセットする前にロック部材７のロック状態を解除して第１のギア５を回転させた後、現像剤受入れ装置10に装着させるという場合である。
【０１２０】
基本的には、本実施形態では新しい現像剤補給容器１を現像剤受入れ装置10に一度セットして現像剤の補給を開始した後は容器本体１ａ内の現像剤が無くなり交換するまでは現像剤補給容器１を現像剤受入れ装置10の外に取り出す必要は無い。また、新しい現像剤補給容器１はロック部材７が初期設定位置にセットされた状態で出荷するため、以上のような状況は通常生じない。
【０１２１】
しかしながら、上記(1)(2)の場合には、ロック部材７のロックがかかっていないために回動負荷がかけられない状態になっている。この状態で現像剤補給容器１を現像剤受入れ装置10にセットしても回動負荷が生じないために現像剤補給容器１を自動で回動させることができず、シャッタを開封できなくなってしまう。
【０１２２】
そこで本実施形態では、ロック部材７のロックが解除された状態で、現像剤補給容器１を現像剤受入れ装置10に装着する時には、現像剤受入れ装置10とロック部材７が干渉してロック部材７をロック方向に移動させる構成を設けてある。また、ロック部材７には一端を容器本体１ａに支持されたスプリングバネ８を引掛けてあり、現像剤受け入れ装置10との干渉により、ロック方向に力を受けた時に確実にロック方向への付勢力が増すように、フリップフロップ機構を設けてある。なお、フリップフロップ機構とは、スプリングバネ８を引き伸ばしてセットされた支持部２点のうち１点が移動可能で２点間の距離が可変にしてある。そして、支持部２点間でバネの張力がバランスの取れた位置から多少移動すると、移動した側にバネの張力が働き、より付勢力が働く機構をいう。
【０１２３】
以上のように、ロックが解除された状態であっても、ロックが再度かけられるような機構を設けてあるが、図12に示すように、第１のギア５の解除突起５ａがロック解除位置にある場合には、以上のような機構を設けても、再度ロックがかけられない。これは、解除突起５ａが図12ａ〜図12ｃに示したような範囲の位置にある場合には、ロック部材７と解除突起５ａが干渉している。このため、ロック方向の付勢がかかっても完全にロックさせることはできず、現像剤受入れ装置10の駆動を受けるとすぐにロック部材７が押し上げられて、ロック状態が作れず現像剤補給容器１に回動負荷を与えることができないということを意味している。
【０１２４】
そこで本実施形態では、以上のような状態において、現像剤補給容器１を現像剤受入れ装置10に挿入装着する時に、第１のギア５と現像剤受入れ装置10の一部を係合させるようにしている。この係合により、第１のギア５を回転させて解除範囲外（図12ａ〜図12ｃの範囲外）である非解除位置まで移動させ、再びロック可能な状態にする。すなわち、回動負荷切替えを再セットする機構を設けている。以下、具体的にその機構について説明する。
【０１２５】
図６ａ及び図９ｂに示したように、第１のギア５には現像剤受入れ装置10に設けられた被係合手段と係合可能な係合手段となる第１の係合部として係合部（移動部）５ｄ、第２の係合部として中心支持部５ｅを設けてある。
【０１２６】
そして、前記係合部に対応して、図５に示すように、相対する現像剤受入れ装置10の現像器ホルダ13に、前記係合手段と係合可能な被係合手段となる第１の被係合部として係合部13ａ、第２の被係合部として支持部13ｂを設けてある。前記係合部５ｄと係合部13ａは、第１のギア５の解除部である解除突起５ａが解除位置にある状態で、現像剤補給容器１を現像剤受入れ装置10に挿入した時には必ず干渉する位置に設けてある。係合部５ｄは第１のギア５の回転中心に設けた中心支持部５ｅから外側に向けて突出した略円筒状の突起形状としている。また、係合部13ａは係合部５ｄを受けて第１のギア５を回転させるように現像剤補給容器１の挿入方向に傾斜したテーパ形状（斜面形状）にしてある。
【０１２７】
図13ａ〜図13ｃに示すように、現像剤補給容器１を現像剤受入れ装置10に挿入した時に、挿入の途中で略円筒形状の係合部５ｄが斜面形状のガイド部材である係合部13ａと当接する。この状態で現像剤補給容器１を挿入していくと、係合部５ｄが係合部13ａの斜面（図13ａのア部）に沿って移動して第１のギア５が回転する。そして、現像剤補給容器１の挿入終了時には、第１のギア５の解除突起５ａが前述の解除範囲外まで移動する。これにより、ロック部材７が解除突起５ａの干渉を受けなくなるため、ロック部材７はフリップフロップ機構により再ロック可能な位置に移動することができ、現像剤補給容器１の自動開封を達成することができる。すなわち、移動部である係合部５ｄは現像剤補給容器１の装着動作に伴い解除位置にある解除突起５ａを非解除位置に移動させる。
【０１２８】
なお、係合部13ａの斜面の傾斜方向は、係合部５ｄが係合部13ａの斜面に沿って移動した時に、第１のギア５の解除突起５ａが正規の回転方向とは逆の方向（図12のＲ方向）に移動するように設けてある。これは、現像剤補給容器１の挿入途中時に、ロック部材７をロック方向へ移動させ、フリップフロップ機構により、ロック方向へ付勢がかかった状態で、挿入動作の最後で係合部５ｄ，13ａが係合して、第１のギア５が回転した時に、解除突起５ａが確実に解除位置から離れるからである。これにより、フリップフロップ機構により、ロック部材７が再ロックする方向に移動でき、確実に再ロックをかけることができる。
【０１２９】
これに対し、解除突起５ａが正規の回転方向（図12のＲ方向とは逆の方向）に回転してしまうと、ロック方向に付勢がかかる位置にいたロック部材７を完全に解除する位置まで移動させてしまうため、再ロックできる状態が形成できなくなる。
【０１３０】
ただし、容器挿入動作終了後にロック部材７に対し、ロック方向に付勢がかけられる機構を持っていれば、上記のような問題は無い。その場合には、係合時の回転方向は正逆どちらでも良いため、例えば、両係合部５ｄ，13ａを共に菱形形状にすることもできる。しかし、この場合には容器挿入動作終了後、再度ロック方向に付勢をかける機構が必要になる。このため、機構が複雑になったり、部品点数が増えてコストアップする可能性もある。したがって、本実施形態のように係合部13ａを斜面形状とし、解除突起５ａを確実に解除位置から移動させる構成の方が好ましい。
【０１３１】
両係合部の形状は、解除突起５ａがロック解除位置にある時に、できるだけスムーズに小さな力で第１のギア５を回転させて解除範囲外まで回転させることが必要である。ただし、確実に再ロック可能な位置まで移動させることと、現像剤補給容器１を現像剤受入れ装置10にセット後、現像剤補給時には第１のギア５が回転するので、両係合部５ｄ，13ａが係合部同士、または他の部材と干渉しないようにする必要がある。
【０１３２】
このため、回転する第１のギア５に設けた係合部５ｄはできるだけ小さくすることが望ましく、円筒形状の突起のみにしている。一方、現像剤受入れ装置10側の係合部13ａである斜面形状は、容器挿入方向に対する斜面の角度（図13中のα）が小さいと係合時の移動に要する力が小さくて済む。しかし、挿入量に対する第１のギアの回動量が小さくなり、一定の回動量を稼ぐために挿入方向の係合距離を長く取る必要がある。
【０１３３】
逆に、容器挿入方向に対する斜面の角度αが大きいと、挿入量に対する第１のギア５の回動量が大きくなるが、移動に要する力も大きくなるため、挿入に要する力も大きくなる。よって、できるだけ小さな力でスムーズにかつ確実に再ロック可能領域まで第１のギア５を回転させるように係合部13ａの設計を行うことが望ましい。
【０１３４】
なお、斜面の表面は滑らかに第１のギア５を回転させることができる前提で、直線でも曲線でも構わない。本実施形態では、容器挿入方向に対する斜面の角度αを約50°とし、第１のギア５の回動角度を約40°（図12ａ〜図12ｃの領域分以上の角度）としている。
【０１３５】
なお、図14に示すように、係合部13ａは断面Ｌ字形状に形成している。そして、係合部５ｄは現像剤補給容器１を現像剤受入れ装置10にセット後、第１のギア５の回転中には現像剤受入れ装置10側の係合部13ａの斜面部の内側空間内で回転し、係合部13ａとは干渉しない構成になっている。
【０１３６】
更に本実施形態では、図14に示すように、確実に係合させるように、第１のギア５には中心支持部５ｅ、現像器ホルダ13には第２の被係合部13ｂの支持部を第１のギア５の回転中心部近傍に設けてある。容器挿入時には、略円筒形状の５ｅ内部に13ｂの支持部が進入して第１のギア５が回転自在な状態で係合する。これにより、容器挿入時の第１のギア５の中心位置を規制することができ、係合量を確保すると共に、両係合部５ｄ，13ａが係合時に力を受けて、各々変形し係合量が減少するのを防止している。なお、第１のギア５が通常回転する時に回転負荷が生じないように、中心支持部５ｅと支持部13ｂの間には適度な隙間が設けてある。
【０１３７】
一方、現像剤の補給が終了し、現像剤補給容器１を現像剤受入れ装置10から取り出す時に、第１のギア５の回転位相は、現像剤受入れ装置10側でステッピングモータを用いたり、センサ類で位相を制御したりしない限り制御できずに不確定になる。通常、特殊な用途が無い限り、コストアップや複雑な制御を避けるために、特に回転位相の制御は行っていない。本実施形態についても、位相制御は行っておらず、回転駆動が停止した時点で、第１のギア５の解除突起５ａが解除位置に存在する可能性がある。
【０１３８】
このときには、図14及び図15に示すように、係合部５ｄがガイド部材である係合部13ａと干渉しており、現像剤補給容器１の引き抜いて取り出す時に引っ掛かる構成になっている。そこで、係合部13ａの斜面形状を下面（図15のイ部）にも設けて、容器取り出し時に係合部５ｄが前記斜面形状に当接してこれに沿って移動するようにしている。これにより、係合部13ａと干渉しない非解除位置まで第１のギア５を回動させて容器を取り出すことができる。
【０１３９】
なお、このときの第１のギア５の回転方向は、正規の回転方向になるが、ロック部材７は解除位置にあるため、解除突起５ａと干渉することはない。
【０１４０】
これにより、第１のギア５を再ロック可能な位置まで回転させることになる。このため、一度現像剤受入れ装置10から取り出した現像剤補給容器１をそのまま再度現像剤受入れ装置10に装着しても、再ロックがかかって、回動負荷を付与することにより容器の自動回動を行うことができる。第１のギア５の回転方向を容器挿入時と同じ方向（正規と逆の回転方向）にすることもできるが、その場合には、係合部13ａの斜面形状の下面（図15のイ部）を逆方向に傾斜させる必要があり、斜面形状が大きくなってしまう。そのため、本実施形態のように構成するほうが好ましい。
【０１４１】
（現像剤補給容器のセット動作）
次に図16及び図17を用いて現像剤補給容器のセット動作について説明する。なお、図16ｂ、図17ｂは主に現像剤排出口１ｂと現像剤受入れ口10ｂと現像器シャッタ11との関係を説明するための断面図である。そして、図16ｃ、図17ｃは主に駆動ギア部材12、第１のギア５、第２のギア６の関係を説明するための側面図、図16ｄ、図17ｄは主に現像器シャッタ11と容器本体１ａの連動部との関係を説明するための断面図である。
【０１４２】
上述のセット動作とは、現像剤補給容器１が現像剤受入れ装置10に装着された着脱位置から、現像剤補給容器１を所定角度回動させて現像剤補給容器１の動作が可能な動作位置への、現像剤補給容器１の回動動作のことである。上述の着脱位置とは、現像剤補給容器１の現像剤受入れ装置10に対する着脱を許容する位置のことである。また、上述の動作位置とは、現像剤の補給（排出）が可能な補給位置（セット位置）のことである。さらに、現像剤補給容器１は、上述の着脱位置から僅かに回動した時点（以降）で現像剤受入れ装置10に対する着脱がロック機構により禁止された状態となり、上述の動作位置においてもやはり着脱が禁止された状態となっている。
【０１４３】
現像剤補給容器のセット動作について順を追って説明する。
【０１４４】
(1)ユーザが、交換用カバー15を開放することにより形成された開口から（図３参照）、現像剤補給容器１を現像剤受入れ装置10へ図16ａの矢印Ａ方向から挿入装着する。このとき、図16ｃに示すように、現像剤受入れ装置10側の駆動ギア部材12と、現像剤補給容器１側の第２のギア６は離れており、駆動伝達は不可能な状態になっている。
【０１４５】
(2)現像剤受入れ装置10に現像剤補給容器１が挿入された後、ユーザがハンドル２を図16ｂ〜図16ｄに示す矢印Ｂ方向（排出部材４の回転方向と逆方向）に回すことにより、現像剤補給容器１と現像剤受入れ装置10間の駆動連結が行われる。
【０１４６】
具体的には、容器本体１ａが矢印Ｂ方向に回転すると、第２のギア６が現像剤補給容器１の回転中心（排出部材４の回転中心）に対して公転し駆動ギア部材12と係合し、これ以降駆動ギア部材12から第２のギア６へ駆動を伝達可能な状態となる。
【０１４７】
図18ｂは、現像剤補給容器１がユーザにより所定角度回動された状態を示している。この図18ｂの状態の時点では、現像剤補給容器１の現像剤排出口１ｂは容器シャッタ３にてほぼ閉鎖された状態にある（排出口１ｂの移動方向先端縁は現像剤受入れ装置10の容器シャッタ用のストッパ部10ｄと対向した位置にある）。また、現像剤受入れ口10ｂも現像器シャッタ11にて完全に閉鎖された状態にあり、現像剤を補給することができない状態になっている。
【０１４８】
(3)ユーザが交換用カバー15を閉じる。
【０１４９】
(4)交換用カバー15が閉じられると、現像剤受入れ装置10の駆動ギア部材12に駆動モータから駆動が入力される。
【０１５０】
この駆動ギア部材12への駆動の入力に伴い、駆動ギア部材12と噛合っている第２のギア６の回転負荷が第１のギア５を介してトルク発生機構により大きくなっているので、現像剤補給容器１が動作位置（補給位置）に向けて自動的に回動する。
【０１５１】
なお、本実施形態では、駆動伝達手段を利用して現像剤補給容器１に生じる回動力が、現像剤受入れ装置10から現像剤補給容器１が受ける回動抵抗力よりも大きくなるように設定されているので、この現像剤補給容器１の自動回動を適正に行うことができる。
【０１５２】
また、このとき、開封突起１ｅによって現像剤補給容器１の回動動作と現像器シャッタ11の開放動作が連動して行われる。具体的には、現像剤受入れ口10ｂは容器本体１ａの回動により現像器シャッタ11が現像剤補給容器１の開封突起１ｅに押し下げられてスライドして開封する（図16ｄ→図17ｄ）。
【０１５３】
一方、容器本体１ａの回動に伴う現像器シャッタ11の開封動作に連動して、現像剤排出口１ｂも、容器シャッタ３が現像剤受入れ装置10の係止部に突き当たりこれ以上の回動が規制されることにより開封される。
【０１５４】
その結果、容器シャッタ３から露出した現像剤排出口１ｂが、現像器シャッタ11から露出した現像剤受入れ口10ｂと対向し、互いが連通した状態となる（図16ｂ→図17ｂ参照）。
【０１５５】
現像器シャッタ11は、開封移動の終了位置を規定するためのストッパ10ｅ（図17ｂ参照）に突き当たって止まるため、現像剤受入れ口10ｂの下端と現像器シャッタ11の上端が精度良く合致する。なお、この現像剤補給容器の自動回転は互いに連結した状態にある現像器シャッタ11の移動停止に連動して終了する。
【０１５６】
なお、本実施形態では、現像剤補給容器１が動作位置に位置した時点で現像剤排出口１ｂが現像剤受入れ口10ｂの位置と精度良く合致するように、容器本体１ａに対する現像剤排出口１ｂの設置位置（周方向）を調整している。
【０１５７】
(5)駆動ギア部材12への駆動の入力が継続して行われる。このとき、動作位置に位置した現像剤補給容器１は現像器シャッタ11を介してそれ以上の回転が阻止された状態となっている。従って、回転が阻止された現像剤補給容器１に対し第１のギア５がトルク発生機構によるトルクに抗して相対回転を開始し、第１のギア５に設けられた解除突起５ａがロック部材７の被解除部７ａに突き当たる（図18ｄ）。更に第１のギア５の回転が進むと、解除突起５ａが被解除部７ａを図18ｄの矢印Ａ方向に押し上げることにより（図18ｅ）、ロック部材７のロック部７ｂの固定部材の引掛かり部９ａへの引掛りが外れる（図11ｂ参照）。
【０１５８】
その結果、第１のギア５に付与されていた回転負荷（トルク）が解除され十分小さくなる。
【０１５９】
その後は、現像剤補給工程において、現像剤受入れ装置（駆動ギア部材12）によって駆動伝達手段（第１〜第３のギア）を回転させるのに要する力が小さくて済む。従って、駆動ギア部材12に大きなトルク負荷をかけることもなく、安定した駆動伝達を行うことが可能となる。
【０１６０】
また、本実施形態では、現像剤排出口１ｂと現像剤受入れ口10ｂの位置を合致させる現像剤補給容器の自動回動の終了後、時間差をおいて、第１のギア５に付与していた回転負荷を解除する構成とされている。従って、現像剤排出口１ｂと現像剤受入れ口10ｂの位置合わせを良好に遂行することが可能である。更に、解除突起５ａがロック解除位置にある場合でも、確実に再度回転負荷を与える状態にすることができる。
【０１６１】
なお、駆動伝達手段に付与されていた回転負荷（トルク）を変更せず（切替えず）にそのまま維持させる構成の場合には、次のような問題が発生する懸念があるので、回動負荷を変更する（切替える）本実施形態の構成の方がより好ましい。
【０１６２】
つまり、回転負荷を変更せずにそのまま維持させる構成の場合では、現像剤排出口が現像剤受入れ口の位置と合致して容器本体１ａの回転が完了した後も長時間に渡って第１のギア５にトルク発生機構が作用したままの状態となる。従って、第２のギア６を介して常に駆動ギア部材12にも負荷が掛かることになり、駆動ギア部材12の耐久性や駆動伝達の安定性等に影響を与えることが懸念される。また、長時間の回転摺動によりリング部材14が発熱し、この熱が原因で駆動伝達手段が熱劣化したり、内部の現像剤が熱劣化してしまう恐れがある。
【０１６３】
一方、本実施形態の構成であれば、現像剤受入れ装置により駆動伝達手段を駆動するのに要する電力を削減することができる。また、駆動ギア部材12をはじめとする現像剤受入れ装置側の駆動ギア系列の強度や耐久性を過度に高めなくても済むので、現像剤受入れ装置のコストダウンに寄与することができる。さらに、駆動伝達手段や現像剤が熱劣化してしまうのを抑制することができる。
【０１６４】
以上のように、現像剤受入れ装置から現像剤補給容器の駆動伝達手段に駆動を入力する、といった簡単な構成・行為であるにも関わらず、その後の現像剤補給工程を適正に遂行せしめるための現像剤補給容器の位置決め動作の自動化が可能となる。
【０１６５】
即ち、現像剤補給容器を回動させるための特別な駆動モータや別系統の駆動ギア列などを設けること無く、駆動伝達手段を利用するといった簡単な構成で、現像剤補給容器を動作位置へと自動的に回動させることができる。その結果、ユーザビリティー性の向上を図ることが可能となり、併せて、現像剤の補給も良好に行うことができる。
【０１６６】
従って、現像剤の補給量不足による画像濃度ムラや画像濃度不足といった画像不良の発生を抑制することができる。
【０１６７】
さらに、本実施形態の構成であれば、上述したように、駆動伝達手段を利用して現像剤補給容器を動作位置へと自動的に回動させる構成の場合に懸念される問題を抑制することが可能となる。
【０１６８】
（現像剤補給容器の取り外し動作）
次に現像剤補給容器を交換のためもしくは何らかの理由で現像剤補給容器を取り出す際の取り外し動作について説明する。
【０１６９】
(1)まず、ユーザが交換用カバー15を開放する。
【０１７０】
(2)そして、ユーザがハンドル２を図16の矢印Ｂ方向とは逆方向へ回すことで、現像剤補給容器１を動作位置から着脱位置へと回動させる。つまり、現像剤補給容器１が着脱位置へ戻り、図16ｃの状態になる。
【０１７１】
このとき、現像剤受入れ口10ｂは現像器シャッタ11が現像剤補給容器１の封止突起１ｆに押し上げられることで再封移動するとともに、現像剤排出口１ｂも回動して、容器シャッタ３により再封される（図17ｂ→図16ｂ参照）。
【０１７２】
具体的には、容器シャッタ３が現像剤受入れ装置10のストッパ部（不図示）に突き当たりそれ以上の移動を阻止され、この状態で現像剤補給容器１が回動することにより現像剤排出口１ｂが容器シャッタ３にて再閉鎖されるように構成されている。
【０１７３】
そして、現像器シャッタ11を再封するための現像剤補給容器１の回動は、容器シャッタ３のガイド部１ｄに設けられた上記ストッパ部（不図示）が容器シャッタ３と突き当たることで停止するように構成されている。これにより、確実に現像剤排出口１ｂが容器シャッタ３に再閉鎖された状態で回動が停止する。
【０１７４】
また、現像剤補給容器の回転に追従して第２のギア６と駆動ギア部材12の係合が解かれ、現像剤補給容器が着脱位置に位置した時点では第２のギア６と駆動ギア部材12は互いに干渉しない状態となる。
【０１７５】
(3)最後に、ユーザが着脱位置にある現像剤補給容器１を現像剤受入れ装置10から取り出す。
【０１７６】
この後、ユーザは予め用意されている新しい現像剤補給容器へと交換することになるが、これ以降の操作は上述した「現像剤補給容器のセット動作」と同様である。
【０１７７】
また、仮に同じ現像剤補給容器１を再セットする場合でも、前述したように、容器取り出し時に解除突起５ａが再ロック可能な位置に移動するため、確実にロックして容器の自動回動を達成することができる。
【０１７８】
（現像剤補給容器を回動させる原理）
ここで、現像剤補給容器１を回動させる原理について、図19を用いて説明する。図19は引き込み力により現像剤補給容器１が自動回動する原理を説明するための図である。
【０１７９】
第２のギア６が駆動ギア部材12と噛合った状態で駆動ギア部材12から回転力を受けたときに、第２のギア６の軸部Ｐに第２のギア６の回転に伴う回動力ｆがかかり、その回動力ｆが容器本体１ａに作用する。この時に、この回動力ｆが現像剤補給容器１が現像剤受入れ装置10から受ける回動抵抗力Ｆ（現像剤補給容器１の外周面が現像剤受入れ装置10との摺動により受ける回動抵抗力）よりも大きい場合に、容器本体１ａが回動することになる。
【０１８０】
従って、第１のギア５にトルク発生機構を作用させることによる、第２のギア６の現像剤補給容器１に対する回動負荷は、現像剤補給容器１が現像剤受入れ装置10から受ける回動抵抗力よりも大きくするのが好ましい。
【０１８１】
一方、トルク発生機構の作用が解除された後の、第２のギア６の現像剤補給容器１に対する回動負荷は、現像剤補給容器１が現像剤受入れ装置10から受ける回動抵抗力より少なくとも小さくするのが好ましい。
【０１８２】
このような両者の力の大小関係が、駆動ギア部材12と第２のギア６との噛合いが開始された時点から現像器シャッタ11が開封完了する時点に至るまでの工程・期間中において成り立っているのが望ましい。
【０１８３】
この回動力ｆは、第２のギア６と噛合った状態の駆動ギア部材12を現像器シャッタ11を開封させるための方向へ回動（手動）させた際の、駆動ギア部材12の回転トルクを測定することにより求めることができる。具体的には、駆動ギア部材12の回転軸中心部に駆動ギア部材12と共に回転する測定用の軸等を設け、その測定用の軸の回転トルクをトルク測定器により測定することで求めることができる。この回動トルクは容器内にトナーが入っていない状態で測定したものである。
【０１８４】
回動抵抗力Ｆは、後述するように、容器本体１ａを現像器シャッタ開封方向に回動（手動）させた際に、容器の回動中心の回動トルクを測定することで求めることができる。この測定は、駆動ギア部材12と第２のギア６との噛合いが開始された時点から現像器シャッタ11が開封完了する時点に至るまでにおいて容器本体１ａを回動させることにより行われる。具体的には、駆動ギア部材12を現像剤受入れ装置10から外し、そして、容器本体１ａの回動中心に容器本体１ａと共に回動する測定用の軸等を設け、その測定用の軸の回動トルクをトルク測定器により測定することで求めることができる。
【０１８５】
トルク測定器としては（株）東日製作所製のトルクゲージ（ＢＴＧ90ＣＮ）を使用した。なお、トルク測定器として回転モータとトルク変換器が搭載されたトルク測定機を用いて自動的に測定しても良い。
【０１８６】
次に、図19に示したモデルを用いて詳しくその原理を説明する。駆動ギア部材12、第２のギア６、第１のギア５の各々のピッチ円の半径をａ、ｂ、ｃ、各ギアの軸中心のトルクをＡ、Ｂ、Ｃ（図19の各ギアの軸中心もＡ、Ｂ、Ｃで表示している）とする。また、駆動ギア部材12と第２のギア６が噛合って、引き込み時にかかる力をＥ、更に容器本体１ａの回動中心抵抗トルクをＤとする。
【０１８７】
容器本体１ａ回動の条件として、ｆ＞Ｆとなり、
【０１８８】
Ｆ＝Ｄ／（ｂ＋ｃ）
【０１８９】
ｆ＝（ｃ＋２ｂ）／(ｃ＋ｂ)×Ｅ＝（ｃ＋２ｂ）／（ｃ＋ｂ）×（Ｃ／ｃ＋Ｂ／ｂ）
【０１９０】
従って、
【０１９１】
（ｃ＋２ｂ）／（ｃ＋ｂ）×（Ｃ／ｃ＋Ｂ／ｂ）＞Ｄ／（ｂ＋ｃ）
【０１９２】
（Ｃ／ｃ＋Ｂ／ｂ）＞Ｄ／（ｃ＋２ｂ）
【０１９３】
となる。
【０１９４】
これより、確実に引き込み力を発生させて容器本体１ａを回転させるためには、上記式を満たすのが好ましく、トルクＣかトルクＢを大きくする、トルクＤを小さくするといった手段が考えられる。
【０１９５】
つまり、排出部材に直結している第１のギア５と、第２のギア６の回転トルクを大きく、容器本体１ａの回動抵抗力を小さくすれば、容器本体１ａを回転させることができる。
【０１９６】
本実施形態では、上述したトルク発生機構により、第１のギア５の回転トルクＣを大きくして結果的に第２のギア６の回転トルクＢを大きくすることにより達成している。
【０１９７】
第１のギア５のトルクは、確実に引き込み力を発生させて容器本体１ａを回転させることを考慮すると大きいほど好ましい。しかしながら、第１のギア５のトルクが大きすぎると、現像剤受入れ装置の駆動モータでの消費電力が大きくなってしまったり、各ギアの強度や耐久性を過度に高めなければならなくなる。また、発熱による現像剤への影響といった観点からも好ましくないので、リング部材14の固定部材９の内周面９ｂへの圧縮量やリング部材14の材質を調整することにより最適な値に設定するのが好ましい。
【０１９８】
また、現像剤補給容器が現像剤受け入れ装置から受ける回動抵抗力（現像剤補給容器外周面と現像剤受入れ装置の設置部との摺動抵抗力）については、極力小さいことが好ましい。本実施形態では、このような観点から、容器本体１ａ回動時の摺動部（容器外周面）の面積を小さくしたり、摺動性の良いシール部材を容器の外周面に設けるなどの方法で対応している。
【０１９９】
次に、第２のギア６の設定トルクについて具体的に述べる。
【０２００】
第２のギア６に付与するトルクは、容器回動力（現像剤補給容器外周面上）の大きさと、現像剤補給容器の直径と、第２のギア６の偏芯量・直径を勘案することで適切な値を設定するのが好ましい。ここで容器の回動抵抗力をＦ′、現像剤補給容器の直径をＤ′、第２のギア６の偏芯量（容器の回転中心から軸支されている地点までの距離）をｅ、第２のギア６の直径をｄ′とすると、
第２のギア６のトルク＝Ｆ′×ｄ′×Ｄ′/（２×（２ｅ＋ｄ′））
の関係が成り立つ。
【０２０１】
まず、容器の回動抵抗力Ｆ′については容器の直径やシール面積、使用するシール構成によっても変わってくるが、一般的な容器は直径30mm〜200mm程度が考えられ、その場合には一般的に１Ｎ〜200Ｎの範囲内で設定される。また、第２のギアの直径ｄ′は、容器の直径から勘案して４mm〜100mm、第２のギア６の偏芯量ｅは４mm〜100mm程度となる。ここは画像形成装置の大きさやその仕様によって適宜選択する。したがって一般的に考えられる容器において、第２のギアのトルクは、上記の考えられる範囲のＭＩＮ、ＭＡＸを計算して、3.0×10-4Ｎ・ｍ〜18.5Ｎ・ｍとなる。
【０２０２】
例えば、本実施形態で用いたような容器の直径が60mmである場合を想定し、そして、上述したシール構成等のばらつきも考慮すると、回動抵抗力Ｆはおよそ５Ｎ以上100Ｎ以下の範囲内となるものと考えられる。
【０２０３】
したがって本実施形態では第２のギアの偏芯量が20mm、直径が20mmとすると、第２のギア６の設定トルクは上記容器の回動抵抗力Ｆを考慮して、0.05Ｎ・ｍ以上１Ｎ・ｍ以下に設定するのが好ましい。なお、下限値は後述する各種ロス分や部材の寸法の振れ、安全率等を考慮するとその２倍程度の0.1Ｎ・ｍ、上限値は現像剤補給容器に設けるトルク発生機構の強度を考慮して0.5Ｎ・ｍ程度が好ましい。即ち、第２のギア６の設定トルクとしては、0.1Ｎ・ｍ以上0.5Ｎ・ｍ以下に設定するのがより好ましい。
【０２０４】
本実施形態では、第２のギア６のトルクは、各種部材のばらつきや、現像剤補給容器内の現像剤を撹拌する際に生じる撹拌トルク（0.05Ｎ・ｍ程度）を含めて0.15Ｎ・ｍ以上0.34Ｎ・ｍ以下の範囲内となるように構成している。ただし、撹拌トルクは現像剤の充填量や撹拌構成によっても変わってくるものなので、そこは適宜設定すれば良い。
【０２０５】
また、現像剤補給容器の自動回転後、ロック部材７が解除されてトルク発生機構の寄与が０となった際には、現像剤補給容器の駆動に要する負荷はほぼ撹拌トルクのみとなる。
【０２０６】
本実施形態では、ロック解除後の第２のギア６のトルクは撹拌トルクである0.05Ｎ・ｍ程度となる。
【０２０７】
このロック解除後の第２のギア６のトルクは、現像剤受入れ装置に掛かる負荷や消費電力などを考慮すると小さい程よい。さらに本実施形態のような構成を前提に考えれば、トルク発生機構による寄与トルクがロック解除時に0.05Ｎ・ｍより大きいと、トルク発生部から熱が発生しその熱が蓄積して現像剤補給容器内の現像剤に伝わり影響を及ぼす可能性がある。
【０２０８】
従って、ロック解除後のトルク発生機構の寄与トルクは0.05Ｎ・ｍ未満とするのが好ましい。
【０２０９】
また、第２のギア６が駆動ギア部材12から回転力を受けた際に生じる力Ｅの方向を考慮することも重要なファクターである。
【０２１０】
図19を用いて具体的に説明する。第２のギア６の軸部に生じる（容器本体１ａを回動させるための）回動力ｆは、駆動ギア部材12から第２のギア６が受ける力Ｅの分力に相当する。従って、第２のギア６と駆動ギア部材12の係合時の位置関係次第では回動力ｆが発生しない場合も考えられる。図19のモデルでは、容器本体１ａの回動中心であるＣ点（本モデルでは第１のギア５の回転中心と一致している）と第２のギア６の回転中心であるＢ点とを結んだ直線を基準線とする。この基準線と、Ｂ点と駆動ギア部材12の回転中心であるＡ点とを結んだ直線とのなす角度θ（基準線を０°とし時計回りの方向に測定した角度）としては、90°よりも大きく270°よりも小さくするのが好ましい。
【０２１１】
特に、第２のギア６と駆動ギア部材12との噛合いにより生じた力Ｅに対し、この力Ｅのｆ方向成分（第２のギア６と駆動ギア部材12との噛合い部での容器本体の接線方向の分力）を効率良く活用するのが好ましい。従って、θを120°以上240°以下に設定するのが好ましい。なお、力Ｅのｆ方向成分を更に有効に活用するには、θを180°近傍に設定するのが好ましく、本モデルではθが180°の例となっている。
【０２１２】
本実施形態では、以上のような点を考慮して、各ギアの配置位置などの構成が為されている。
【０２１３】
なお、実際には、各ギアの駆動伝達時のロス等があるが、本モデルではこれを省略して説明している。従って、このようなロスを考慮した上で、現像剤補給容器の自動回動が適正に行われるよう現像剤補給容器の各種構成を設定すれば良いの言うまでもない。
【０２１４】
以上のようにして本実施形態では、第１のギア５、第２のギア６として歯車を用いたことにより、簡単な構成で確実に駆動を伝達することができる。
【０２１５】
そして、本実施形態に係る現像剤補給容器１を用いて、補給テストを行ったが、現像剤の補給に関する問題は無く、安定して画像形成を行うことができた。
【０２１６】
なお、現像剤受入れ装置としては、上記した例に限らず、画像形成装置に対し着脱可能な構成、即ち、画像形成ユニットとしても構わない。なお、画像形成ユニットの例としては、感光体や帯電器、クリーナ等の画像形成プロセス手段を有するプロセスカートリッジや、現像ローラ等を有する現像器を有する現像カートリッジを挙げることができる。
【０２１７】
なお、本実施形態では、容器の形状が円筒状とされているが、容器の形状はこの形態だけに限定されない。例えば、図20に示すように、円筒の一部をカットしたような断面構成とされた容器でも構わない。この場合、容器の回動時の回転中心は現像剤排出口周辺の円弧に対する中心位置になり、各シャッタの略回動中心になる。
【０２１８】
上述において説明した各部材の材質、成型方法、形状等は、本実施形態に限定されるものではなく、上記効果が得られる範囲内で、自由に選択することができる。
【０２１９】
〔第２実施形態〕
次に第２実施形態に係る装置について図21ａ、図21ｂを参照して説明する。なお、本実施形態は現像剤補給容器の駆動伝達手段の構成が第１実施形態と異なっているのみであり、他の構成は前述した第１実施形態と同一である。このため第１実施形態と重複する説明は省略し、ここでは本実施形態の特徴となる構成について説明する。また、前述した実施形態と同一機能を有する部材には同一符号を付す。
【０２２０】
本実施形態では、図21ａ、図21ｂに示すように、４つのギア６ａ→６ｂ→６ｃ→５により排出部材４へ駆動力を伝達する構成である。
【０２２１】
このように、第１のギア５に駆動を伝達するギアが奇数個となっている。そして、駆動ギア部材12と係合関係にあるギア６ａの回転方向が、現像剤補給容器１を自動回転させる方向に設定されている。
【０２２２】
このような構成であっても、第１実施形態と同様に、駆動ギア部材12に駆動が入力されると、これと噛合っているギア６ａを介して容器本体１ａに自動回転させる力を生じさせることができる。
【０２２３】
第１のギア５に駆動を伝達するギアを複数個で構成する場合は、ギアを複数個用いることでコストアップの要因となるので、ギア６ａ、６ｂ、６ｃを共通化するのが好ましい。
【０２２４】
本実施形態についても、第１実施形態と同様、第１のギア５に設けた解除部により回動負荷が解除された状態で容器を本体にセットするような場合であっても、再ロックが可能になり、確実に容器を自動で回動させて開封、現像剤を補給することができる。
【０２２５】
〔第３実施形態〕
次に第３実施形態に係る装置について図22を参照して説明する。なお、本実施形態も現像剤補給容器の駆動伝達手段の構成が第１実施形態と異なっているのみであり、他の構成は前述した第１実施形態と同一である。このため第１実施形態と重複する説明は省略し、ここでは本実施形態の特徴となる構成について説明する。また、前述した実施形態と同一機能を有する部材には同一符号を付す。
【０２２６】
本実施形態では、駆動伝達手段として、図22に示すような、互いに駆動連結する当接面が摩擦抵抗の高い材料で構成した第１の摩擦車５、第２の摩擦車６、この第２の摩擦車６と同軸的に設けられた第３の摩擦車を用いている。現像剤受入れ装置の駆動部材も摩擦車12とされている。すなわち、前述した第１実施形態のギアを摩擦車に代えて構成している。
【０２２７】
このような構成であっても、第１実施形態と同様に現像剤補給容器１を自動回転させることが可能である。ただし、第２の摩擦車６と駆動部材の摩擦車12が接触し、本体からの駆動が伝達されて、摩擦車12が回転するのに伴い、摩擦によって摩擦車６も回転し、少なくとも片方の摩擦車が弾性変形して、両摩擦車の回転中心軸間の距離が変化することにより、現像剤補給容器が回転する構成となる。
【０２２８】
本実施形態についても、第１実施形態と同様、第１の摩擦車５に設けた解除突起５ａにより、回動負荷が解除された状態で現像剤補給容器１を現像剤受入れ装置にセットするような場合であっても、再ロックが可能になる。このため、確実に容器を自動で回動させて開封、現像剤を補給することができる。
【０２２９】
〔第４実施形態〕
次に第４実施形態に係る装置について図23を参照して説明する。なお、本実施形態も現像剤補給容器の駆動伝達手段の構成が第１実施形態と異なっているのみであり、他の構成は前述した第１実施形態と同一である。このため第１実施形態と重複する説明は省略し、ここでは本実施形態の特徴となる構成について説明する。また、前述した実施形態と同一機能を有する部材には同一符号を付す。
【０２３０】
本実施形態では、駆動伝達手段として、第２のギア６、第３のギア６′を設けずに、第１のギア５のみが設けられた構成とされている。また、第１のギア５に回動負荷を与える構成にしてあり、現像剤補給容器１の自動回転後、ロック部材７のロック解除が第１のギア５に設けられた解除突起５ａによって行われる。このため、現像剤排出口１ｂを現像剤受入れ口10ｂと適正に連通させることが可能となっている。
【０２３１】
本実施形態は、第１実施形態に比して、現像剤補給容器１の装着後の回動動作がすべて自動となるためユーザビリティー性が高い部分がある。
【０２３２】
本実施形態についても、第１実施形態と同様に第１のギア５に設けた解除部により回動負荷が解除された状態で容器を本体にセットするような場合であっても、再ロックが可能になり、確実に容器を自動で回動させて開封、現像剤を補給することができる。
【０２３３】
〔第５実施形態〕
次に第５実施形態に係る装置について図24を参照して説明する。なお、本実施形態も現像剤補給容器の駆動伝達手段の構成が第１実施形態と異なっているのみであり、他の構成は前述した第１実施形態と同一である。このため第１実施形態と重複する説明は省略し、ここでは本実施形態の特徴となる構成について説明する。また、前述した実施形態と同一機能を有する部材には同一符号を付す。
【０２３４】
本実施形態では、駆動ギア部材12からの駆動力を伝達する駆動伝達手段が、第１のギア５、駆動伝達ベルト16並びにこれを懸架する２つのプーリにより構成されており、更に、第１のギアに回動負荷を与える構成にしてある。
【０２３５】
また、本実施形態では、駆動伝達ベルト16はプーリに対して相対回転しないように、駆動伝達ベルト16の内面とプーリは高摩擦処理が施されている。なお、駆動伝達ベルト16の内面にも歯部を設け、これと対応するように２つのプーリにも歯部を設けることにより両者間のスリップを高レベルに防止する構成としても構わない。
【０２３６】
本実施形態の場合、ユーザにより、現像剤受入れ装置10に装着された現像剤補給容器１が所定角度回動された時点で、駆動伝達ベルト16の歯部が現像剤受入れ装置10の駆動ギア部材12と係合する。その後、ユーザが交換用カバー15を閉じ、駆動ギア部材12に駆動が入力されると、ロック部材７により第１のギア５に回動負荷が与えられるため、容器に回動力が生じる。
【０２３７】
従って、第１実施形態と同様に、容器本体１ａが自動的に回動する。その結果、現像剤排出口１ｂと現像剤受入れ口10ｂの位置が合致した後、ロック部材７の被解除部７ｂが第１のギア５の解除突起５ａによって押し上げられ、第１のギア５の回動負荷が解除された状態になる。
【０２３８】
なお、本実施形態の駆動伝達ベルト16と駆動ギア部材12の係合部を第３実施形態と同じように、摩擦車にする例も考えられ、第３実施形態と同様の効果が得られる。
【０２３９】
本実施形態の構成の場合は、第１のギア５と駆動ギア部材12間を自由に設計することができ、駆動伝達手段の設計の自由度（設置の自由度）が高まる、といった点において第１実施形態に比して有利である。
【０２４０】
本実施形態についても、第１実施形態同様、第１のギア５に設けた解除突起５ａがロック解除位置にあって回動負荷が解除された状態で現像剤補給容器１を現像剤受入れ装置10にセットするような場合であっても、再ロックが可能になる。このため、確実に現像剤補給容器１を自動で回動させて開封、現像剤を補給することができる。
【０２４１】
〔他の実施形態〕
前述した各実施形態では、駆動伝達手段を利用して容器本体１ａを自動回転させる構成としているが、次のような構成であっても構わない。
【０２４２】
例えば、現像剤補給容器１を、現像剤を収容した内筒と、この内筒の周りを回転可能に設けられた外筒とにより構成された２重筒構造としても構わない。
【０２４３】
この場合、内筒には現像剤を排出するための開口が設けられており、外筒にも現像剤を排出するための開口（現像剤排出口）が設けられている。これら内筒と外筒の開口は、現像剤補給容器を装着する前の時点では連通した状態とはなっておらず、外筒が上述した容器シャッタ３の役割を果たしている。
【０２４４】
また、この外筒の開口は上述したようなシールフィルムによって密閉されている。このシールフィルムは、現像剤補給容器を現像剤受入れ装置に装着した後、現像剤補給容器を回動させる前に、ユーザによって引き剥がされるように構成されている。
【０２４５】
さらに、内筒と外筒との間に現像剤が漏れ出さないように内筒の開口の周囲に弾性シール部材が設けられており、この弾性シール部材は内筒と外筒によって所定量圧縮されている。
【０２４６】
このような現像剤補給容器を現像剤受入れ装置に装着した時点では、内筒の開口は現像剤受入れ装置の現像剤受入れ口と対向した位置にあり、一方、外筒の開口は現像剤受入れ口と対向しておらず、略鉛直上方を向いている。
【０２４７】
このような状態で、上述した実施形態と同様に、現像剤補給容器のセット動作を行うことにより、現像剤受入れ装置に非回転となるように係止固定された内筒に対し、外筒だけが相対回転することになる。
【０２４８】
その結果、現像剤補給容器を動作位置（補給位置）へ位置させる回動動作に連動して、現像器シャッタの開封動作が行われ、さらに、外筒の開口が現像剤受け入れ口と対向した状態となる。このため、最終的に、内筒開口、外筒開口、現像剤受入れ口が連通した状態となる。
【０２４９】
現像剤補給容器の取り出し動作については、上述した実施形態と同様に、外筒をセット動作時とは逆方向に回動させることにより、内筒開口、現像剤受入れ口の再封動作が連動して行われる。なお、外筒開口については開封されたままであるが、現像剤補給容器を装置から取り出す時点では内筒開口は外筒によって再封されており、一方、外筒開口は鉛直上方を向いていることから、現像剤の飛散は極微量であった。
【０２５０】
以上の各実施形態について、本発明に係る現像剤補給容器の例をそれぞれ説明したが、本発明の技術思想の範囲内であるならば、前述した各実施形態の構成を適宜組合わせたり構成を置き換えたりすることが可能であることは言うまでもない。
【図面の簡単な説明】
【０２５１】
【図１】画像形成装置の全体構成を示す断面図である。
【図２】現像装置の構成を示す部分断面図である。
【図３】現像剤補給容器の現像剤受入れ装置装着時の様子を示す斜視図である。
【図４ａ】現像剤受入れ装置を示す斜視図である。
【図４ｂ】現像剤受入れ装置を示す斜視図である。
【図５ａ】補給密封時における現像剤受入れ装置の内部の説明図である。
【図５ｂ】補給口開封時における現像剤受入れ装置の内部の説明図である。
【図６ａ】現像剤補給容器の斜視説明図である。
【図６ｂ】現像剤補給容器の断面説明図である。
【図６ｃ】現像剤補給容器の側面説明図である。
【図６ｄ】現像剤補給容器の第２のギア及び第３のギアの斜視説明図である。
【図７ａ】シャッタ開閉のスナップフィット部を示す側面説明図である。
【図７ｂ】シャッタ開閉のスナップフィット部を示す斜視説明図である。
【図８】現像剤補給容器の斜視説明図である。
【図９ａ】現像剤補給容器のトルク発生機構の断面説明図である。
【図９ｂ】現像剤補給容器のトルク発生機構の分解説明図である。
【図１０】ロック部材を示す斜視図である。
【図１１ａ】ロック部材をロックした状態の斜視説明図である。
【図１１ｂ】ロック部材をロック解除した状態の斜視説明図である。
【図１２ａ】現像剤補給容器における解除突起がロック解除位置にあるときの側面説明図である。
【図１２ｂ】現像剤補給容器における解除突起がロック解除位置にあるときの側面説明図である。
【図１２ｃ】現像剤補給容器における解除突起がロック解除位置にあるときの側面説明図である。
【図１３ａ】現像剤補給容器セット時の第１の係合部と第１の被係合部の係合状態を示す説明図である。
【図１３ｂ】現像剤補給容器セット時の第１の係合部と第１の被係合部の係合状態を示す説明図である。
【図１３ｃ】現像剤補給容器セット時の第１の係合部と第１の被係合部の係合状態を示す説明図である。
【図１４】現像剤補給容器セット後の第１の係合部と第１の被係合部の位置関係を示す部分断面図である。
【図１５】現像剤補給容器取り出し時の第１の係合部と第１の被係合部の係合状態を示す説明図である。
【図１６ａ】現像剤補給容器の現像剤受入れ装置装着後の様子を示す斜視説明図である。
【図１６ｂ】現像剤補給容器の現像剤受入れ装置装着後の様子を示す側面断面説明図である。
【図１６ｃ】現像剤補給容器の現像剤受入れ装置装着後の様子を示す側面説明図である。
【図１６ｄ】現像剤補給容器の現像剤受入れ装置装着後の様子を示す側面断面説明図である。
【図１７ａ】現像剤補給容器の現像剤受入れ装置装着後、容器回動終了後の様子を示す斜視図である。
【図１７ｂ】現像剤補給容器の現像剤受入れ装置装着後、容器回動終了後の様子を示す側面断面図である。
【図１７ｃ】現像剤補給容器の現像剤受入れ装置装着後、容器回動終了後の様子を示す側面図である。
【図１７ｄ】現像剤補給容器の現像剤受入れ装置装着後、容器回動終了後の様子を示す側面断面図である。
【図１８ａ】現像剤補給容器の装着後の側面図である。
【図１８ｂ】現像剤補給容器の駆動連結完了後の側面図である。
【図１８ｃ】現像剤補給容器の回動終了後の側面図である。
【図１８ｄ】現像剤補給容器のロック解除直前の側面図である。
【図１８ｅ】現像剤補給容器のロック解除時の側面図である。
【図１９】引き込み力を説明するためのモデル図である
【図２０】現像剤補給容器を示す斜視図である。
【図２１ａ】第２実施形態に係る現像剤補給容器を示す斜視図である。
【図２１ｂ】第２実施形態に係る現像剤補給容器を示す側面図である。
【図２２】第３実施形態に係る現像剤補給容器を示す斜視図である。
【図２３】第４実施形態に係る現像剤補給容器の斜視図である。
【図２４】第５実施形態に係る現像剤補給容器の斜視図である。
【符号の説明】
【０２５２】
Ｓ    …シート
１    …現像剤補給容器
１ａ  …容器本体
１ｂ  …現像剤排出口
１ｃ  …現像剤充填口
１ｄ  …ガイド部
１ｅ  …開封突起
１ｆ  …封止突起
１ｈ  …支柱
１ｋ  …スナップフィット爪部
２    …ハンドル
３    …容器シャッタ
４    …排出部材
４ａ  …撹拌軸
４ｂ  …撹拌翼
５    …第１のギア
５ａ  …解除突起
５ｂ  …凹部
５ｃ  …円周面
５ｄ  …係合部
５ｅ  …中心支持部
６    …第２のギア
６′  …第３のギア
７    …ロック部材
７ａ  …被解除部
７ｂ  …ロック部
８    …バネ部材
９    …固定部材
９ａ  …引掛かり部
10    …現像剤受入れ装置
10ａ  …収納部
10ｂ  …現像剤受入れ口
10ｃ  …ガイド部
10ｄ  …ストッパ
10ｅ  …ストッパ
11    …現像器シャッタ
12    …駆動ギア部材
13    …現像器ホルダ
13ａ  …係合部
13ｂ  …支持部
14    …リング部材
15    …交換用カバー
16    …駆動伝達ベルト
100   …装置本体
101   …原稿
102   …原稿台ガラス
103   …光学部
104   …感光体ドラム
105〜108 …カセット
105Ａ〜108Ａ …給送分離装置
109   …搬送部
110   …レジストローラ
111   …転写放電器
112   …分離放電器
113   …搬送部
114   …定着部
115   …排出反転部
116   …排出ローラ
117   …排出トレイ
118   …フラッパ
119，120 …再給送搬送部
201   …現像装置
201ａ …現像器
201ｂ …現像ローラ
201ｃ …送り部材
201ｄ …現像ブレード
201ｅ …漏れ防止シート
202   …クリーナ部
203   …一次帯電器
【図１】
2007316113.tif 000003
【図２】
2007316113.tif 000004
【図３】
2007316113.tif 000005
【図４ａ】
2007316113.tif 000006
【図４ｂ】
2007316113.tif 000007
【図５ａ】
2007316113.tif 000008
【図５ｂ】
2007316113.tif 000009
【図６ａ】
2007316113.tif 000010
【図６ｂ】
2007316113.tif 000011
【図６ｃ】
2007316113.tif 000012
【図６ｄ】
2007316113.tif 000013
【図７ａ】
2007316113.tif 000014
【図７ｂ】
2007316113.tif 000015
【図８】
2007316113.tif 000016
【図９ａ】
2007316113.tif 000017
【図９ｂ】
2007316113.tif 000018
【図１０】
2007316113.tif 000019
【図１１ａ】
2007316113.tif 000020
【図１１ｂ】
2007316113.tif 000021
【図１２ａ】
2007316113.tif 000022
【図１２ｂ】
2007316113.tif 000023
【図１２ｃ】
2007316113.tif 000024
【図１３ａ】
2007316113.tif 000025
【図１３ｂ】
2007316113.tif 000026
【図１３ｃ】
2007316113.tif 000027
【図１４】
2007316113.tif 000028
【図１５】
2007316113.tif 000029
【図１６ａ】
2007316113.tif 000030
【図１６ｂ】
2007316113.tif 000031
【図１６ｃ】
2007316113.tif 000032
【図１６ｄ】
2007316113.tif 000033
【図１７ａ】
2007316113.tif 000034
【図１７ｂ】
2007316113.tif 000035
【図１７ｃ】
2007316113.tif 000036
【図１７ｄ】
2007316113.tif 000037
【図１８ａ】
2007316113.tif 000038
【図１８ｂ】
2007316113.tif 000039
【図１８ｃ】
2007316113.tif 000040
【図１８ｄ】
2007316113.tif 000041
【図１８ｅ】
2007316113.tif 000042
【図１９】
2007316113.tif 000043
【図２０】
2007316113.tif 000044
【図２１ａ】
2007316113.tif 000045
【図２１ｂ】
2007316113.tif 000046
【図２２】
2007316113.tif 000047
【図２３】
2007316113.tif 000048
【図２４】
2007316113.tif 000049